(57)【特許請求の範囲】
【請求項１】
懸濁液中の磁性粒子の操作のための機器であって、
基板と、
磁壁の創出、移動、および消滅に好適な磁性導管とを備え、前記磁性導管は前記基板の上に置かれ、さらに
前記磁性導管の表面に近接して置かれた磁性粒子懸濁液を備え、
前記磁性導管は磁性材料からなるストリップを備え、これにより前記磁性粒子は、前記ストリップに沿った前記磁壁の創出、移動、および消滅、ならびに前記磁壁と前記磁性粒子との間の相互作用の結果として、前記ストリップに沿って捕捉され、移動され、および解放され得、前記ストリップは複数の隣接するセグメントを備え、前記セグメントの長さは前記セグメントの横断方向の寸法（幅および厚み）よりも実質的に大きく、これにより前記磁壁は、前記ストリップに対して横断するように置かれる閉じ込められた磁壁であり、かつ移動の間のそれらの完全性を維持することを特徴とする、機器。
【請求項２】
前記セグメントの厚みは１００ｎｍ以下であることを特徴とする、請求項１に記載の機器。
【請求項３】
前記セグメントの幅は１μｍ以下であることを特徴とする、請求項１または２に記載の機器。
【請求項４】
前記複数のセグメントは複数の真っ直ぐなセグメントおよび／または複数のカーブしたセグメントを備え、これにより、前記真っ直ぐなセグメントに沿った前記磁性粒子の移動は前記真っ直ぐなセグメントの終点同士の間のデジタル移動であり、前記カーブしたセグメントに沿った移動は連続した移動であることを特徴とする、請求項１から３のうち１項に記載の機器。
【請求項５】
前記複数の隣接するセグメントは方形のリング（１００）を形成することを特徴とする、請求項１から４のうち１項に記載の機器。
【請求項６】
前記複数の隣接するセグメントはジグザグ構造（２０３）を形成し、これにより、前記ジグザグ構造（２０３）に沿った前記粒子の移動はデジタル移動であり、前記ストリップは注入器（２０２）およびストリップ端（２０４）をさらに備えることを特徴とする、請求項１から４のうち１項に記載の機器。
【請求項７】
前記複数の隣接するセグメントは、水平方向セグメント（３０３Ｂｎ）と交互にされ、角度２αを形成するように置かれた傾いたセグメント（３０３Ａ（２ｎ−１），３０３Ａ２ｎ）の対を備える変形のジグザグ構造（３０３）を形成し、これにより、前記変形のジグザグ構造（３０３）に沿った前記粒子の移動はデジタル移動であり、前記ストリップは注入器（３０２）およびストリップ端（３０４）をさらに備えることを特徴とする、請求項１から４のうち１項に記載の機器。
【請求項８】
前記ストリップは円形のリング（５００）を形成し、これにより前記ストリップに沿った前記粒子の移動は連続した移動であることを特徴とする、請求項１に記載の機器。
【請求項９】
前記ストリップは、注入器（６０２）と、カーブした構造（６０３）と、ストリップ端（６０４）とを備え、これにより、前記ストリップに沿った前記粒子の移動は連続した移動であることを特徴とする、請求項１に記載の機器。
【請求項１０】
前記ストリップは少なくとも二股部（７０１）を備えることを特徴とする、請求項１、２、３、４、６、または７に記載の機器。
【請求項１１】
前記ストリップは、前記基板によって規定される平面中のセグメントと、３次元回路を形成するように前記基板によって規定される前記平面から出て行く方向に沿って置かれるセグメントとを備えることを特徴とする、請求項１、２、３、４、６、７、または１０に記載の機器。
【請求項１２】
前記機器は、磁壁および／または磁性粒子を検出するための少なくともセンサをさらに備えることを特徴とする、請求項１から１１のうち１項に記載の機器。
【請求項１３】
前記磁性材料は、たとえば、パーマロイ（登録商標）、コバルト、鉄、ニッケル、水マンガン鉱、Ｆｅ3Ｏ4、またはホイスラー合金などの、室温で強磁性の材料であることを特徴とする、請求項１から１２のうち１項に記載の機器。
【請求項１４】
磁性粒子の操作のための装置であって、
請求項１から１３のうち１項に記載の磁性導管を備える、磁性粒子の操作のための機器を備え、前記磁性導管中の磁壁の生成、移動、および消滅のための手段をさらに備えることを特徴とする、装置。
【請求項１５】
磁壁の生成、移動、および消滅のための前記手段は、外部界の創出のための手段を備えることを特徴とする、請求項１４に記載の装置。
【請求項１６】
前記外部界は、外部磁界および外部電磁界のうち１つを備えることを特徴とする、請求項１５に記載の装置。
【請求項１７】
磁壁の生成、移動、および消滅のための前記手段は、前記磁性導管を通る電流の生成のための手段を備えることを特徴とする、請求項１４に記載の装置。
【請求項１８】
前記装置は、たとえば、ピペット、マイクロポンプ、またはマイクロバルブなどの、前記磁性導管の表面に近接して前記磁性粒子懸濁液を配置するための手段をさらに備えることを特徴とする、請求項１４から１７のうち１項に記載の装置。
【請求項１９】
磁性粒子の操作のための方法であって、
磁壁の創出、移動、および消滅に好適で、磁性材料からなるストリップを備える磁性導管の表面に近接して磁性粒子懸濁液を配置するステップと、
少なくとも磁壁を前記ストリップに沿って創出することにより、前記ストリップに沿って前記磁性粒子のうち少なくとも１つを捕捉するステップとを備え、
前記ストリップは複数の隣接するセグメントを備え、前記セグメントの長さは前記セグメントの横断方向の寸法（幅および厚み）よりも実質的に大きく、これにより前記磁壁は、前記ストリップに対して横断するように置かれる閉じ込められた磁壁であり、かつ移動の間のその完全性を維持することを特徴とする、方法。
【請求項２０】
前記方法は、前記ストリップに沿って前記閉じ込められた磁壁を移動させることによって、捕捉された前記粒子を移動させるステップをさらに備えることを特徴とする、請求項１９に記載の方法。
【請求項２１】
前記方法は、前記ストリップに沿って前記閉じ込められた磁壁を消滅させることによって、捕捉された前記磁性粒子を解放するステップをさらに備えることを特徴とする、請求項１９または２０に記載の方法。
【請求項２２】
前記方法は、前記磁性粒子が少なくとも１つの非磁性分子または細胞に結合可能であるように、かつ前記磁性粒子の操作が前記分子または細胞の操作を可能にするように、接着性物質または表面反応基で前記磁性粒子を官能化させるステップをさらに備えることを特徴とする、請求項１９から２１のうち１項に記載の方法。
【発明の詳細な説明】
【技術分野】
【０００１】
本発明の分野
本発明は、懸濁液中の磁性粒子の操作の分野に関する。特に、本発明は、磁壁の伝播による磁性粒子の操作の分野に関する。さらに特に、本発明は、適切に構造化された磁性材料導管内での磁壁の創出、伝播、および消滅による磁性粒子の操作の分野に関する。
【背景技術】
【０００２】
現行技術
粒子の制御された操作は、ナノテクノロジーの主な目的の１つである。ナノメータの精密度で懸濁液中のナノ粒子を駆動できることは、化学、物理学、材料科学、バイオテクノロジー、および医学などのいくつかの科学および工学分野で主要な役割を果たす。特に、化学、生物学、および医学分野では、ナノメータの尺度まで小型化された機器を実現し、ミクロ流体手段によって導入されるわずかなサンプル量に対して化学的および生物学的分析または合成を行なえる可能性が関連の対象である。一般的にこの種の方策は「ラボオンチップ（lab on a chip）」と定義され、これは、顕微鏡レベルでの任意の科学研究室、すなわちマイクロチップの寸法を有する「研究室」、での典型的な動作の実行を示唆する。この方面で最も有望な分野の１つは、溶液中の磁性粒子の制御された操作に係る。実際、磁性粒子は、生化学および医学診断用途でそれらが用いられると、特に重要な役割を果たす。それらの表面を適切に官能化することにより、実際に、磁性粒子を、粒子に対する磁力の作用のおかげで生物学的エンティティを搬送したりもしくは分離したりするためのキャリアとして用いたり、または粒子自体の磁気特性に基づく検出用の分子マーカーとして用いたりすることができる。
【０００３】
磁性粒子の操作のためのいくつかのラボオンチップシステムは、溶液中に磁性粒子を含む流体の制御された搬送用の構造の実現のため、いくつかの種類のマイクロバルブおよびマイクロポンプを含み得る複雑な機器に基づいている。これらのシステムは複雑であり、したがって設計および実現が高価であるだけでなく、外部の装置の使用も必要となり、これはシステムの全体的な寸法を大幅に増大させてしまう。
【０００４】
これに対し、磁性粒子が分散される流体の運動とは独立して磁性粒子を直接に移動させる可能性が存在する。
【０００５】
磁性粒子の操作に用いられる方策の１つは、当該粒子と特に磁化された基板である磁性基板との間の相互作用に基づいている。
【０００６】
この方策の根底にある考えは、磁性粒子が制御され予測可能な態様で変更に反応するようにこれを変更する基板の磁気構成に対して動作することである。もっとも、これまでに達成された制御可能性および予測可能性は非常に限定されている。しかしながら、一般的に、文献で公知のシステムは、巨視的な永久磁石に基づく磁気機器に基づいているか、または外部磁界によっておよび一般的に設計および実現が困難な適正な電気回路によって搬送されなければならない高電流によって駆動される。電流の通過に基づくシステムは、湿気のある反応環境、特に溶液の存在下で用いることは困難であり、応じて、磁性粒子溶液から電気コンタクトを絶縁するには徹底した注意が必要となる。
【０００７】
さらに、渦電流生成現象および一般的に電子雑音に加えて、電流の通過に基づくシステムでは、機器の小型化と、機器が高密度でかつ並列化レベルが高いシステムの創出とが可能にならない。
【０００８】
磁性粒子の制御された操作のためのシステムに係る典型的な問題のうち１つはさらに、達成可能な空間分解能に係る。特に、文献で公知のシステムでは、数マイクロメータのオーダの精密度の磁性粒子の運動の制御が可能である一方で、理想的にはナノメータの範囲のより高精密な制御が達成可能であることが望ましいであろう。
【０００９】
文献で公知のような機器に係るさらなる問題は、単一の磁性粒子を精密に操作することの難しさに関する。一般的に、文献で公知の機器によって粒子群の運動が可能になるが、それらによって単一の粒子の運動の管理が可能になるわけではない。
【００１０】
ＰＲＥ  ６７，０４２４０１（２００３）で、著者らは、ガドリニウムガーネット膜表面上の非常に広いブロッホの壁によって駆動される磁性粒子移動モダリティを記載する。システムの外形により、非常に多くのかつ制御不能な数の磁性粒子が磁壁の変位に追従して変位する。応じて、ＰＲＥ  ６７，０４２４０１（２００３）に記載のシステムは、単一の磁性粒子の制御された変位には不十分である。
【００１１】
ＰＲＬ  ９１，２０８３０２（２００３）では、磁性膜の表面上の先端形状の磁壁を用いる。外部界によってこの先端形状の磁壁を変位させると、磁壁の先端から出てくる高い界との相互作用において超常磁性粒子が変位する。ＰＲＬ  ９１，２０８３０２（２００３）に記載の先端形状の磁壁の創出のためのメカニズムは非常に複雑であり、先端が形成する正確な位置を制御することは難しい。さらに、得られる変位は１マイクロメータのオーダの精密度で、１００マイクロメータまでである。
【００１２】
Appl. Phys. Lett. 93, 203901 (2008)およびAdv. Mater. 17, 1730 (2005)には、回転磁界と強磁性構造との作用の組合せによって駆動される磁性粒子の変位が記載される。外部磁界は、界の回転の間、石版印刷された磁気構造のいくつかの点に焦点合せされ、構造の特別な形状および配置により、磁性粒子が、特定の方向に沿った前方への集団運動でこれらの点に追従できるようになる。それにもかかわらず、変位が考慮される尺度は、低分解能の数ミクロンまたは数十ミクロンの範囲内である。さらに、粒子の変位の際、粒子の運動に対してもそれらの数に対しても精密な制御を得ることができない。最終的に、これらの文書に記載のシステムは永久外部磁界の存在を暗示する。
【００１３】
米国特許出願第２００８／００８０２２２Ａ１号には、磁性ガーネットの連続した膜においてある磁壁から別の磁壁へジャンプする常磁性粒子のデジタル変位のためのシステムが記載される。２つの異なる構成、すなわち、ブロッホの壁を有する交互のストライプ磁区の創出と、磁気バブルの創出とが示される。磁性粒子の変位は、磁壁または磁気バブルの配置を変化させる外部磁界によって活性化されて、優先的な変位方向を作り出す。したがって、ＵＳ２００８／００８０２２２Ａ１に記載のシステムによって、粒子群の変位の実現は可能になるが、単一の粒子の運動に対する制御が可能になるわけではない。この場合も、磁壁の正確な配置は制御できない。
【発明の概要】
【発明が解決しようとする課題】
【００１４】
発明の範囲
以上言及した磁性粒子の制御された操作に係る問題および欠点に照らして、本発明の範囲は、当該問題を解消できるようにする磁性粒子の操作のためのシステムおよび方法を提供することである。
【００１５】
特に、本発明の範囲は、任意の十分に規定された数の磁性粒子、しかも単一の磁性粒子すらの制御された操作を可能にする、懸濁液中の磁性粒子の操作のためのシステムおよび方法を提供することである。さらに、本発明の範囲は、１０−１００ナノメータのオーダの精密度で単一の磁性粒子の位置に対する制御の達成を可能にする、磁性粒子の操作のためのシステムおよび方法を提供することである。さらに、本発明の範囲は、設計および実現が容易で、かつ小型化されたプラットフォームで用いることが容易なシステムを提供することである。本発明のさらなる範囲は、磁性粒子に付着して分子間の相互作用および選択的反応を促進するいくつかの分子の操作を可能にするシステムおよび方法を提供することである。本発明のさらなる範囲は、磁性粒子の制御された操作が永久外部界の存在を要件としないシステムおよび方法を提供することである。本発明のさらなる範囲は、ポンプ、シリンジ、および弁などの機械的要素を用いずに溶液中の磁性粒子の制御された操作を可能にするシステムを提供することである。
【課題を解決するための手段】
【００１６】
要約
本発明は、磁性粒子の制御された操作のためのシステムおよび方法に関する。本発明は、適切に構造化された磁性導管内の磁壁の非常に精密かつ制御された運動を、当該磁壁と単一の磁性粒子との間に確立する効果的な相互作用と組合せるという一般的考えに基づいている。
【００１７】
本発明の特に有利な実施形態に従うと、基板と、磁壁の創出、移動、および消滅に好適な磁性導管と、当該磁性導管の表面に近接して置かれる磁性粒子溶液とを備える、磁性粒子の制御された操作のための機器が提供され、当該磁性導管は磁性材料からなるストリップを備え、これにより当該磁性粒子は、当該ストリップに沿った当該磁壁の創出、移動、および消滅、ならびに当該磁壁と当該磁性粒子との間の相互作用の結果として、当該ストリップに沿って捕捉され、移動され、および解放され得る。
【００１８】
本発明のさらなる実施形態に従うと、複数の隣接するセグメントを備える、磁性材料からなるストリップを備える、磁性粒子の制御された操作のための機器が提供され、当該セグメントの長さは当該セグメントの横断方向の寸法（幅および厚み）よりも実質的に大きく、これにより磁壁は、当該ストリップに対して横断するように置かれ、移動の間それらの完全性を維持する。
【００１９】
本発明のさらなる実施形態に従うと、複数の隣接するセグメントを備える、磁性材料からなるストリップを備える、磁性粒子の制御された操作のための機器が提供され、当該複数の隣接するセグメントは複数の直線のセグメントを備え、これにより直線のセグメントに沿った磁性粒子の変位はデジタル変位である。
【００２０】
本発明のさらなる実施形態に従うと、複数の隣接するセグメントを備える磁性材料ストリップを備える、磁性粒子の制御された操作のための機器が提供され、当該複数の隣接するセグメントは複数のカーブしたセグメントを備え、これによりカーブしたセグメントに沿った磁性粒子の変位は連続した変位である。
【００２１】
本発明のさらなる実施形態に従うと、複数の隣接するセグメントを備える磁性材料ストリップを備える、磁性粒子の制御された操作のための機器が提供され、当該複数の隣接するセグメントは、直線のセグメントに沿った磁性粒子の変位がデジタル変位となるような複数の直線セグメントと、カーブしたセグメントに沿った磁性粒子の変位が連続した変位となるような複数のカーブしたセグメントとの両者を備える。
【００２２】
本発明のさらなる実施形態に従うと、磁性材料からなる方形のリングを備える磁性導管を備える、磁性粒子の制御された操作のための機器が提供される。
【００２３】
本発明のさらなる実施形態に従うと、磁壁の注入のための注入器と、当該磁壁の制御されたデジタル変位のためのジグザグ構造を形成する複数の隣接する直線のセグメントと、当該磁壁の消滅のための終端部とを備える磁性導管を備える、磁性粒子の制御された操作のための機器が提供される。
【００２４】
本発明の特に有利な実施形態に従うと、磁壁の制御されたデジタル変位のための水平方向セグメントと交互にされ、角度２αを形成するように置かれる傾いたセグメントの対を備える変形のジグザグ構造を備える磁性導管を備える、磁性粒子の制御された操作のための機器が提供される。
【００２５】
本発明のさらなる実施形態に従うと、磁性材料からなる円形のリングを備える磁性導管を備え、これにより円形のリングに沿った磁壁の変位は連続した制御された移動である、磁性粒子の制御された操作のための機器が提供される。
【００２６】
本発明のさらなる実施形態に従うと、磁壁の注入のための注入器と、当該磁壁の制御されかつ連続した移動のためのカーブした構造と、当該磁壁の消滅のための終端部とを備える磁性導管を備える、磁性粒子の制御された操作のための機器が提供される。
【００２７】
本発明の特定的な実施形態に従うと、磁性導管を２つ以上の異なる分岐に分割する少なくとも二股部を備える磁性導管を備える、磁性粒子の制御された操作のための機器が提供される。
【００２８】
本発明の特定的な実施形態に従うと、磁壁および／または磁性粒子を検出するための少なくともセンサを備える、磁性粒子の制御された操作のための機器が提供される。
【００２９】
本発明の特に有利な実施形態に従うと、本発明に従う磁性粒子の制御された操作のための機器と、磁性導管中の磁壁の生成、移動、および消滅のための手段とを備える、磁性粒子の制御された操作のための装置が提供される。
【００３０】
本発明の特に有利な実施形態に従うと、磁壁の創出、移動、および消滅に好適で、かつ磁性材料ストリップを備える磁性導管の表面に近接して磁性粒子の溶液を配置するステップと、当該ストリップに沿った少なくとも磁壁の創出によって当該ストリップに沿って当該磁性粒子のうち少なくとも１つを捕捉するステップとを備える、磁性粒子の制御された操作のための方法が提供される。
【００３１】
本発明の特に有利な実施形態に従うと、磁性材料ストリップに沿った少なくとも磁壁の制御された移動によって当該捕捉された粒子を移動させるステップを備える、磁性粒子の制御された操作のための方法が提供される。
【００３２】
本発明の特定的な実施形態に従うと、磁性材料ストリップに沿った少なくとも磁壁の消滅によって当該捕捉された磁性粒子を解放するステップを備える、磁性粒子の制御された操作のための方法が提供される。
【００３３】
本発明のさらなる実施形態に従うと、接着性物質または表面反応基により少なくとも磁性粒子を官能化させて、当該磁性粒子を少なくとも１つの非磁性分子に結合可能にするステップを備える、磁性粒子の制御された操作のための方法が提供される。
【図面の簡単な説明】
【００３４】
【図１ａ】２つの磁壁が内部に存在する、磁性材料からなる方形のリングを概略的に表示する図である。
【図１ｂ】図１ａに示されたものと同様のシステム中の磁壁の創出の基礎となる原則を概略的に表示する図である。
【図１ｃ】図１ａに示されるものと同様のシステム中の磁壁の移動の基礎となる原則を概略的に表示する図である。
【図２】磁壁上方の平面に置かれる超常磁性ナノ球体に作用する力のベクトル図である。
【図３ａ】本発明の特定的な実施形態に従う、図１ａに示されるのと同様のシステム中の磁壁の移動による超常磁性粒子の移動の基礎である原則を概略的に表示する図である。
【図３ｂ】本発明の特定的な実施形態に従う、図１ａに示されるのと同様のシステム中の磁壁の移動による超常磁性粒子の移動の基礎である原則を概略的に表示する図である。
【図３ｃ】図１ａに示されるのと同様の２つの現実の方形のリング中の磁壁の移動による超常磁性ナノ球体の変位を示す、光学顕微鏡によって撮影された実験画像を表示する図である。
【図３ｄ】図１ａに示されるのと同様の２つの現実の方形のリング中の磁壁の移動による超常磁性ナノ球体の変位を示す、光学顕微鏡によって撮影された実験画像を表示する図である。
【図４ａ】本発明の特定的な実施形態に従うジグザグ構造を有する磁性導管を表示する図である。
【図４ｂ】磁壁によって捕捉される超常磁性ナノ球体とともに、図４ａに示される導管中の磁壁の創出を表示する図である。
【図４ｃ】図４ａに示される導管中の捕捉された超常磁性ナノ球体および磁壁の伝播を表示する図である。
【図４ｄ】図４ａに示される導管中の捕捉された超常磁性ナノ球体および磁壁の伝播を表示する図である。
【図５】図４に示されるのと同様のジグザグ構造を有する導管による、超常磁性粒子の捕捉ａおよび解放ｂの基礎である原則を表示する図である。
【図６】本発明の特定的な実施形態に従う変形のジグザグ構造を有する導管を概略的に表示する図である。
【図７】図６に示されたものと同様の導管中の第１の磁壁（磁壁ＨＨ）の創出および伝播を概略的に表示する図である。
【図８】図７に示されるシステム中の第２の磁壁（磁壁ＴＴ）ドメインの創出および伝播を概略的に表示する図である。
【図９】本発明の特定的な実施形態に従う磁性導管の構造を概略的に示す図である。
【図１０】図９に示されるものなどの磁性導管中の磁壁ＨＨおよびＴＴの創出および伝播に用いられる磁界のｘおよびｙ方向に沿った成分を概略的に示し、磁界強度はＯｅ単位で表現される、図である。
【図１１】本発明の特定的な実施形態に従う、円形のリング形状を有する導管中の磁壁ＨＨおよびＴＴの創出および伝播を概略的に表示する図である。
【図１２】本発明の特定的な実施形態に従う、カーブした形状を有する導管中の磁壁ＨＨの創出、伝播、および消滅を概略的に表示する図である。
【図１３】本発明の特定の実施形態に従う二股部を有する磁性導管を表示する図である。
【発明を実施するための形態】
【００３５】
詳細な説明
同封の図では、同一または対応の部分は同じ参照番号で同定される。
【００３６】
以下、本発明は、同封の図面に示されるような特定的な実施形態を参照して説明される。それにもかかわらず、本発明は以下の詳細な説明に記載され、かつ図に示される実施形態に限定されるものではなく、むしろこれらの実施形態は本発明のさまざまな局面を例示するものであり、その範囲は請求項によって規定される。
【００３７】
本発明のさらなる変更例および修正例が当業者には明らかとなるであろう。したがって、本発明は、本発明のすべての当該変更例および／または修正例を備えるものとして考えられなければならず、その範囲は請求項によって規定される。
【００３８】
磁壁は、２つの磁区、すなわち異なる均一な磁性を有する材料からなる２つの領域、の間の界面領域である。基板上の平面構造を参照すると、磁性が平面外の成分を呈しているか否かに応じて、ブロッホの壁およびネール磁壁を規定することが可能である。以下、ネール磁壁を有する構造を参照するが、本発明の概念はブロッホの壁の場合に拡張可能である。
【００３９】
特に、本発明の概念は強磁性材料からなるストリップ中の磁壁を利用する。ここでは、形状の異方性は、磁性をストリップの軸に平行になるように制限する。そのようなストリップにおいては、磁壁は、反対向きに整列された磁性の領域を分離する移動性の界面である。幾何学的な閉じ込めにより、磁壁のスピン構造はストリップの横方向寸法および膜厚を介して制御可能であり、その長さはストリップ幅によって決まる。このために、そのような磁壁は閉じ込められた磁壁と称され、本発明の概念において実現されるものである特定的な条件下で、これらの磁壁は磁壁自体のスピン構造を変更せずにストリップ内で操作可能である。この性質が本発明の概念において考慮されるストリップ外形の独自性であり、磁壁の数も長さおよび操作も制御できない拡張２次元および３次元システム（膜および多層）中の磁壁が異なる目的および同様の目的の双方に用いられてきた以前の場合とは実質的に異なっている。
【００４０】
図１ａは、方形を有するリング構造１００中の２つの磁壁を概略的に表示する。図１ａに示されるリング１００の縦方向の辺は、図に示される基準座標系ｘ−ｙのｙ軸の正の方向に沿って向けられる均一な磁性を表示する一方で、横方向の辺は、軸ｘの負の方向に沿って向けられる均一な磁性を表示する。このように、２つの磁壁ＨＨおよびＴＴは、方形のリング１００の左上角および右下角にそれぞれ見られる。方形のリングの左上角の磁壁はＨＨ（「ヘッドトゥヘッド（Head to Head）」）で示される。というのも、これは、それらの磁性が両者とも磁壁自体に向けられている２つの磁区の間の界面からなっているからである。これに対し、右下角の磁壁はＴＴ（「テイルトゥテイル（Tail to Tail）」）で示される。なぜなら、これは、それらの磁性が磁壁自体に対して両者とも外向きに向けられている２つの磁区の間の界面からなるからである。
【００４１】
図１ｂは、図１ａに示されるような方形のリング構造１００中の２つの磁壁ＨＨ、ＴＴの創出の基礎である原則を概略的に表示する。典型的に、この種の構造は、室温で強磁性の材料を用いて実現されてもよい。当該材料の非網羅的な例は、鉄、ニッケル、コバルト、パーマロイ（登録商標）（ニッケル−鉄合金）、磁性酸化物、水マンガン鉱、ホイスラー合金、磁鉄鉱である。本開示に示される構造はパーマロイ（登録商標）で得られたが、これを本発明の適用分野の制限と理解してはならない。方形の右下の頂点をその左上の頂点につなぐ方形の対角線に沿って向けられた外部磁界Ｈ0を方形のリング構造１００に印加すると、図１ａに記載のように方形の辺に均一な磁性が誘導される。特に、界Ｈ0は負の成分Ｈ0xおよび正の成分Ｈ0yを有する。成分Ｈ0xは方形のリング１００の横方向の辺の均一な磁性を定める一方で、成分Ｈ0yは当該リングの縦方向の辺の均一な磁性を定める。したがって、外部界Ｈ0の印加の結果、方形のリング１００の左上頂点および右下頂点それぞれに磁壁ＨＨおよびＴＴが創出される。一旦獲得されると、リング１００の辺の磁性は外部界Ｈ0が存在しなくても安定するので、図１ｂに示される構成は当該外部界を除去すらしても不変のままであり、磁壁ＨＨおよびＴＴは安定している。
【００４２】
図１ａに示される方形のリングと同様の構造中の磁壁の興味深い性質の１つは、構造自体内で制御態様で当該壁を移動させる可能性である（たとえば、P. Vavassori, M. Grimsditch, V. Novosad, V. Metlushko, およびB. Ilic, Phys. Rev. B 67, 134429 (2003)を参照）。図１ｃでは、図１ａに示されるものなどの方形のリング構造１００中の磁壁の移動の基礎である原則が示される。図１ｂに対して示されるようなリングの左上頂点および右下頂点にそれぞれ磁壁ＨＨおよびＴＴが一旦創出されると当該磁壁は安定し、それにより磁壁が創出された界Ｈ0を除去すらしても不変のままである。次にｘ軸の正の方向に沿って向けられ、方形のリング１００の横方向の辺の均一な磁性を反転させるのに十分強力な外部界Ｈextを印加すると、図１ｃに示される構成が実現される。リングの縦方向の辺の磁性は、ｙ軸の正の方向に向けられて不変のままである。というのも、界Ｈextのこの方向の成分は０だからである。これに対し、界Ｈextの作用に加えて、リングの横方向の辺は、ｘ軸の正の方向に沿って向けられた均一な磁性を表示する。その結果、磁壁ＨＨはいまやリング１００の右上頂点に置かれる一方で、磁壁ＴＴは左下頂点に置かれる。基本的に、界Ｈ0を除去して界Ｈextを印加すると、リング１００内部の磁壁の移動が行なわれる。
【００４３】
文献（P. Vavassori, V. Metlushko, B. Ilic, M. Gobbi, M. Donolato, M. Cantoni, およびR. Bertacco, Appl. Phys. Lett. 93, 203502, 2008）およびイタリア特許出願ＴＯ２００８Ａ００３１４から、図１ａ、図１ｂ、および図１ｃに示されるものなどの磁壁が磁性粒子を引き寄せる性質を特徴とすることが公知である。これは、磁壁が狭い空間（典型的には１０ナノメータから１００ナノメータのオーダ）に閉じ込められる幾何学的構造であり、次に局所化される強力な磁界（数ｋＯｅまで）を発生することによるものである。したがって、磁壁に近接して発生する界の高勾配は、磁性粒子を捕捉できる吸引力を生成する。
【００４４】
エネルギの観点から、磁壁は、粒子と壁自体との間の安定した結合構成を規定することができる電位ウェルを創出する。この効果は、強磁性粒子、すなわち室温で安定した磁気双極子モーメントを有する粒子と、超常磁性粒子、すなわち室温で合計０の磁気双極子モーメントを有するが、外部磁界の存在下では（誘導された）高い磁気双極子モーメントをとることができる粒子との両者について観察される。強磁性粒子の場合、磁壁によって生成される磁界の高められた勾配が粒子の磁気双極子を方向付けし、かつ引き寄せる。超常磁性粒子の場合、磁壁によって生成される磁界の高められた勾配が粒子中に磁気双極子モーメントを誘導し、その結果それらを引き寄せる。したがって、一般的に、磁壁の存在はナノまたはミクロ粒子に対する効果的な捕捉および焦点合せ作用を作り出す。磁壁が作り出す超常時性粒子に対する吸引力は以下の式によって与えられる。
【００４５】
【数１】
0005272082.tif 000002
【００４６】
式中μ＝μ（Ｈ）ｈであり、ここでμ（Ｈ）は、粒子が受ける磁界Ｈの強度の関数としての粒子の磁化曲線であり、ｈは磁界Ｈに平行な単位元ベクトル（unity vector）である。
【００４７】
図２は、中心が磁壁ＨＨ上方に置かれる平面γにある超常磁性ナノ球体に作用する力のベクトル図を概略的に示す。磁壁は、平面γに平行でかつこれから距離ｄだけ離間した平面δ上に置かれる。図２に示されるベクトル図は、ナノ粒子が、その近くで吸引力が強力である磁壁に向けて引き寄せられていることを明確に示している。
【００４８】
厚みが３０ｎｍで、セグメントの幅が２００ｎｍに対応する角１１０を規定しているパーマロイ（登録商標）について、パーマロイ（登録商標）表面から１００ｎｍに等しい距離ｄをあけて置かれ、かつ磁壁上に中心合せされた、直径が１３０ｎｍのｎａｎｏｍａｇ（登録商標）−Ｄ粒子に作用する力は約１０ｐＮの値を有することがわかる。
【００４９】
外部磁界の印加による制御された態様での磁壁の移動という性質と磁壁が磁性粒子に対して加える吸引性とを利用して、懸濁液中の当該粒子を精密に操作することが可能である。
【００５０】
図３ａおよび図３ｂは、図１ａに示されるものなどのような方形のリング１００中の磁壁の移動による超常磁性粒子の移動の基礎である原則を概略的に示す。
【００５１】
方形のリング１００には、図１ｂに関して記載されたのと同じ態様で、外部界Ｈ0により左上頂点および右下頂点にそれぞれ２つの磁壁ＨＨおよびＴＴが設けられる。その後、磁性粒子を含む溶液がリング１００に近接して分散される。上述のような磁性粒子に対して磁壁ＨＨおよびＴＴが加える吸引の結果、粒子のうちいくつかは当該磁壁に近接して捕捉される。特に、図３ａでは、粒子Ａがリング１００の左上頂点の磁壁ＨＨに近接して捕捉される。図１ｃについて記載されたのと同様の態様で進めると、リング１００の右上頂点上に磁壁ＨＨを、かつリング１００の左下頂点上に磁壁ＴＴを移動させることができる。図３ｂに示されるように、磁壁ＨＨに近接して捕捉される粒子Ａは当該磁壁の運動に追従し、そのスタート位置に対して制御された態様で移動する。
【００５２】
図３ｃおよび図３ｄは、図１ａに概略的に示されるものと同様のシステム群に関する、光学顕微鏡によって得られる実験結果を表示する。
【００５３】
図３ｃおよび図３ｄに示される方形のリングは、ＳｉＯ2／Ｓｉからなる基板に対する石版印刷技術によって堆積されたパーマロイ（登録商標）からなる。パーマロイ（登録商標）層の厚みは３０ナノメータである。リングの寸法は６μｍ×６μｍであり、方形の各セグメントの幅は２００ｎｍに等しい。リングは、厚みが５０ナノメータのＳｉＯ2の保護層によって覆われる。右下頂点を左上頂点につなぐ画像の対角線に沿って向けられた、強度が１０００Ｏｅの外部界Ｈ0の印加に加えて、リングの各々は、図１ｂに概略的に示されるものなどの構成をとり、磁壁ＨＨおよびＴＴは、各々のリングの左上頂点および右下頂点にそれぞれ存在する。図３ｃは、外部界Ｈ0が除去された後であって、そのように構成されたシステムに対する、１０6個の粒子／μｌの濃度の磁性粒子溶液（ｎａｎｏｍａｇ（登録商標）−Ｄ、直径５００ｎｍ）の配置後に得られた。図３ｃに見られるように、この特定的な実験では、粒子のうちいくつかが、磁壁ＨＨが置かれる２つの方形のリングの左上頂点に捕捉される。
【００５４】
図３ｄは、水平方向右に向けられた外部界Ｈextを印加した後の、光学顕微鏡で得られた画像を表示する。その結果、磁壁は図１ｃに概略的に示されるように移動し、各々の方形のリングの右上頂点および左下頂点に置かれる。図３ｄに見られるように、磁性粒子は磁壁ＨＨの運動に追従し、リングの右上頂点に位置する。実際に、磁性粒子は、単に外部界Ｈ0およびＨextに対して作用する完全に制御された態様で６μｍだけ変位する。
【００５５】
現実には、文献（たとえば、D. A. Allwood, Gang Xiong, M. D. Cooke, C. C. Faulkner, D. Atkinson, N. Vernier, およびR. P. Cowburn, Science 296, 2003 (2002)を参照）から、磁壁の移動はＨextの印加後非常に短時間で（１μｍのオーダの距離については数ナノ秒）で起こることが公知である。これに対し、ここで示される実験データは、磁性粒子の移動が磁壁の移動に対して遅延した態様で起こることを表示した。特に、磁性粒子の移動は、溶媒がｐＨ８のＮＨ4−ＯＨの水溶液である場合、Ｈextの印加後数百ミリ秒のタイミングで起こることが測定された。これは、特に、たとえば溶媒の粘度による摩擦、粒子と基板と溶媒との間の静電相互作用、ブラウン運動などの、システム中で役割を果たす他の力によるものである。しかしながら、この一時的な遅延にもかかわらず、粒子は、少なくとも数マイクロメータまでの変位空間については、磁壁によって加えられる高められた吸引のおかげで磁壁の運動に正確に追従する。しかしながら、磁性粒子が一方端から他方端への運動の間に失われないことを保証する、これに沿って磁壁が移動する直線空間の最大長が、粒子、溶媒、および考慮される基板の具体的な特徴、ならびにパーマロイ（登録商標）ナノ構造の厚みに大きく依存することに留意しなければならない。特に、厚みの増大は吸引力の増大を暗示し、この自由度を変位距離の長さを増大するのに用いてもよい。
【００５６】
以前の図に示された磁性粒子の制御された操作は、以下に例示されるような本発明のいくつかの局面に従って実現される。
【００５７】
図４ａは、本発明の特定的な実施形態に従って構造化された磁性導管２００を表示する。磁性導管２００は、以下に詳細に記載される手順に従って磁性導管２００中の磁壁の創出に用いられる注入器２０２を備える。図４ａに示される注入器は２つの矩形２０２ａおよび２０２ｂを備える。磁性導管２００は、２つの隣接するセグメント間に形成される角度が幅２αまたは３６０°−２αとなるようにジグザグの態様で置かれかつ同じ長さを有する一連の隣接するセグメント２０３Ａ１、２０３Ａｎによって形成されるジグザグ構造２０３をさらに備える。図４ａに示される本発明の特定的な実施形態では、２αは９０°に対応する。磁性導管２００は磁壁の消滅のための端２０４をさらに備える。図４ａに示される端２０４は先が尖っている。
【００５８】
隣接するセグメント２０３Ａ１、２０３Ａｎによって形成されるジグザグ構造は、同じ向きに置かれた一連の二等辺三角形を形成するため、２つの隣接する三角形は底辺の頂点の１つを共有する。各々の二等辺三角形の頂点の角度は２αと測定される一方で、システムの外形により、底辺での２つの角度は９０°−αと測定される。
【００５９】
さらに、図の説明の簡潔のため、デカルト基準座標系ｘ−ｙを考える。ここでｘ軸は二等辺三角形の底辺と平行である。このように、ｘ軸に対してセグメント２０３Ａ１、２０３Ａｎの１つによって形成される角度は９０°−αに等しい一方で、ｙ軸に対して形成される角度はαに等しい。
【００６０】
隣接するセグメント２０３Ａ１、２０３Ａｎはまず均一な態様で磁化され、ｙ軸に沿って負の成分を有する外部磁界Ｈ0を印加するので、システム中に磁壁は存在しない。このように、磁気構造２００の各々のセグメントの磁化ベクトルはｘ軸の負の方向に沿って向けられた成分を有する。
【００６１】
界Ｈ0を除去した後、強度が界Ｈ0よりも低い外部磁界Ｈiが印加される。界Ｈiはｘ軸の正の方向に沿って主に向けられているが、ｙ軸に沿った負の成分は小さいので、壁はセグメント２０２ｂと２０３Ａ１との間の角で停止することができる。好ましくは、ｙ軸に沿った成分は、界がｘ軸に対して２０°以下の角度を形成するようなものである。このように、磁壁は、その磁化ベクトルがｘ軸の正の方向に沿って向けられる注入器２０２中に創出される。これに対し、隣接するセグメント２０３Ａ１、２０３Ａｎの磁化ベクトルはｘ軸の負の方向に沿った成分を維持する。これは、注入器２０２の外形により可能となる。特に、注入器の第１の矩形２０２ａはジグザグ構造の隣接するセグメント２０３Ａ１、２０３Ａｎよりも広く、したがって、これはより低い形状異方性を特徴とする。この理由により、注入器の磁性を反転させるのに必要な磁界は、隣接するセグメント２０３Ａ１、２０３Ａｎにおいて同じ反転を得るのに必要な磁界よりも低い。
【００６２】
したがって、図４ｂに示されるように、界Ｈiの存在により、注入器２０２と一連の隣接するセグメント２０３Ａ１、２０３Ａｎの第１のセグメント２０３Ａ１との間に磁壁ＨＨが創出されるようになる。
【００６３】
図４ｃに示されるように、一連の隣接するセグメント２０３Ａ１、２０３Ａｎのうち第１のセグメント２０３Ａ１に平行な界Ｈ1が後に印加される。界Ｈ1の強度はセグメント２０３Ａ１の磁性の反転による磁壁の移動に必要な臨界磁界の強度よりも高いが、これはすべてのセグメント２０３Ａｎ（ｎは奇数である）の磁性を同時に反転させるのに必要な界Ｈnよりも低く、このことは導管の各々の角に磁壁を有するミクロ磁性構成の創出を暗示するであろう。このように、磁壁ＨＨが移動して、一連の隣接するセグメント２０３Ａ１、２０３Ａｎのうち第１のセグメント２０３Ａ１と第２のセグメント２０３Ａ２との間に置かれる。
【００６４】
図４ｄに示されるように、一連の隣接するセグメント２０３Ａ１、２０３Ａｎのうち第２のセグメント２０３Ａ２に平行な界Ｈ2が後に印加される。システムの対称のため、界Ｈ2の強度はＨ2の強度に等しい。このように、磁壁ＨＨが移動して、一連の隣接するセグメント２０３Ａ１、２０３Ａｎのうち第２のセグメント２０３Ａ２と第３のセグメント２０３Ａ３との間に置かれる。
【００６５】
応じて、上述のように界Ｈ1およびＨ2のシーケンスを印加すると、ｎ番目のセグメント２０３Ａｎに向けての磁気構造２００に沿った磁壁ＨＨの制御された移動が実現される。
【００６６】
磁壁ＨＨの運動の方向を反転させるには、界Ｈ1およびＨ2の方向を反転させて第１のセグメントに向けて磁気構造２００に沿って磁壁ＨＨを移動させることが必要である。
【００６７】
界Ｈ0、Ｈi、Ｈ1、Ｈ2、Ｈnの強度は、磁気構造２００の磁気特性および当該構造の幾何学的性質の両者に依存する。特に、注入器２０２および一連の隣接するセグメント２０３Ａ１、２０３Ａｎの幅および厚み、ならびに隣接するセグメント同士の間の角度２αによて、界Ｈ0、Ｈi、Ｈ1、Ｈ2およびＨnの強度の値が決まる。
【００６８】
一般的に、当該磁界は導管の長さおよび幅の減少を増大させる。
図４に示される構造２００の外形を考慮すると、ジグザグ構造の傾いた辺の方向に対するＨiの投射（projection）がＨ1およびＨ2の強度よりも低い場合は、磁壁の創出および移動の２つのプロセスを切り離すことが可能であり、これにより注入は磁壁の伝播を生じない。
【００６９】
隣接するセグメント２０３Ａ１、２０３Ａｎによって形成されるジグザグ構造によって規定される三角形の頂点は、磁壁に関して安定した位置である。その結果、これらの頂点の１つに置かれる磁壁によって引き寄せられる磁性粒子は、外部磁界が存在しなければ、無限の時間の間この位置に保たれ得る。さらに、上述のように磁気構造２００に沿って磁壁を移動させると、磁性粒子も制御された態様で移動する。
【００７０】
本発明の特定的な実施形態では、磁気構造２００は、それぞれ寸法が４μｍ×０．６μｍおよび３μｍ×０．２μｍである２つの矩形２０２ａおよび２０２ｂと、長さが２μｍおよび幅が０．２μｍである隣接するセグメント２０３Ａ１、２０３Ａｎとからなる注入構造２０２を特徴とする。構造の厚みは０．０３μｍである。この構造のために好ましく用いられる界の強度は、Ｈ0＝１０００Ｏｅ、Ｈi＝１４０Ｏｅ、Ｈ1＝Ｈ2＝１５０Ｏｅである。水平方向に対するＨ1によって形成される角度は好ましくは５０°である。完全さのため、界Ｈn＝３００Ｏｅの値も引用する。この種の構造では、磁壁に結合される磁性粒子の移送速度は０．５ｍｍ／ｓのオーダであることが観察されている。
【００７１】
磁気構造２００のさらなる適用例が図５に示される。
隣接するセグメントが均一に磁化されて磁壁が存在しない初期磁気構成の実現後に、ｙ軸の正の方向に沿った（すなわちｘ軸に沿った成分が０である）磁界Ｈtが印加される。このように、図５ａに示されるようなジグザグ構造の各頂点に磁壁が存在する構成が実現される。磁壁ＨＨおよびＴＴは交互である。したがって、各々の頂点は存在する磁壁の種類とは独立して磁性粒子を引き寄せ捕捉することができる。その後、磁壁を消滅させることができる磁界Ｈrを印加することによって、図５ｂに示されるように磁性粒子の解放が得られる。本発明の特定的な実施形態に従うと、以上特定された寸法および材料を用いると、好ましく用いられる界の強度の値は、Ｈt＝４００Ｏｅ、Ｈr＝１５０Ｏｅである。
【００７２】
図４に示される磁気構造２００はいくつかの磁壁の注入および伝播には適合しない。なぜなら、壁ＴＴおよび壁ＨＨは、同じ界の作用下では反対方向に伝播するであろうからである。これは、任意の数の磁性粒子が同じ導管に沿って搬送される場合には不利であろう。実際に、反対方向への壁ＴＴおよびＨＨの伝播は、粒子の効果的な前方への運動を妨げる。この問題を解消するため、磁壁ＴＴを移動させるのに必要な界に対して磁壁ＨＨの安定した位置が創出され、またその逆も同様である、磁性導管を構築する必要がある。
【００７３】
本発明の特定的な実施形態に従うこの種類の磁性導管の一例が図６に概略的に示される。図６は、変形のジグザグ構造３０３を有する磁性導管３００を表示する。特に、磁性導管３００は、水平方向セグメントと交互の底辺のない三角形を形成するように置かれた隣接するセグメント３０３Ａ１、３０３Ａ２、３０３Ｂ１、…、３０３Ａ２ｎ−１、３０３Ａ２ｎ、３０３ＢＮを備える。図６に示される例では、三角形は等辺であり、水平方向セグメントの長さは三角形の辺と同じ長さである。実際に、図６に示されるジグザグ構造は、隣接する半六角形が頂点を共通に有する一連の隣接する半六角形として記載することができる。磁性導管３００は注入構造３０２をさらに備える。
【００７４】
ｘ軸の負の方向に沿って向けられ、ｙ軸に沿った負の成分が小さいために界が好ましくは（セグメント３０２を含めて構造全体の磁性を飽和するように）水平方向セグメントの方向に対して約１０°の角度を形成する適切な外部磁界Ｈ0を印加すると、図６および図７ａに示されるように初期磁化状態が実現される。ｙ軸に沿った当該負の成分は、ｙ軸に従って向けられたセグメント３０２を備える全構造中の単一のドメインの創出を容易にする機能を有する。
【００７５】
図７は、磁性導管３００中の第１の磁壁ＨＨの創出および伝播を表示する。界Ｈiの除去の後、ｙ軸に沿って正の成分を有する磁界Ｈi1が印加される（図７ｂ）。このように、注入構造３０２および第１のセグメント３０３Ａ１は、初期状態に対して新たな磁性を取る。特に、セグメント３０３Ａ１の磁性は初期状態に対して反転し、変形のジグザグ構造の第１のセグメント３０３Ａ１と第２のセグメント３０３Ａ２との間に磁壁ＨＨが創出される。セグメント３０３Ａ２に平行に外部磁界Ｈ1を印加すると、当該セグメントの磁性が反転し、磁壁ＨＨが移動して、これが第２のセグメント３０３Ａ２と第１の水平方向セグメント３０３Ｂ１との間に置かれる（図７ｃ）。第１の水平方向セグメント３０３Ｂ１に平行な外部磁界Ｈ2を印加すると、当該セグメントの磁性が反転し、磁壁ＨＨが移動して第１の水平方向セグメント３０３Ｂ１とセグメント３０３Ａ３との間に置かれる（図７ｄ）。セグメント３０３Ａ３に平行な外部磁界Ｈ3を印加すると、当該セグメントの磁性が反転し、磁壁ＨＨが移動して、セグメント３０３Ａ３とセグメント３０３Ａ４との間に置かれる（図７ｅ）。
【００７６】
図７ｃに示されるのと同様に進めると、セグメント３０３Ａ４に平行な外部界Ｈ1が印加されて磁壁ＨＨが移動し、セグメント３０３Ａ４と第２の水平方向セグメント３０３Ｂ２との間に置かれる（図７ｆ）。
【００７７】
図７ｄに示されるのと同様に進めると、第２の水平方向セグメント３０３Ｂ２に平行な外部界Ｈ2が印加されて磁壁ＨＨが移動し、第２の水平方向セグメント３０３Ｂ２とセグメント３０３Ａ５との間に置かれる（図７ｇ）。
【００７８】
印加される磁界の強度は適正な条件を満たさなければならない。たとえば、界Ｈ1は、セグメント３０３Ａ２ｎに沿った磁壁の伝播が所望されないさらなる磁壁の注入を生じるのを回避するようなものでなければならない。さらに、界Ｈi1の強度は、すべてのセグメント３０３Ａ２ｎ−１の磁性を反転させて各セグメント３０３Ａ２ｎ−１の端に２つの壁を創出するのに必要な界Ｈnの強度よりも低くなければならない。さらに一般的には、それぞれセグメント３０３Ａ２ｎ、３０３Ｂｎ、３０３Ａ２ｎ−１に沿った、壁ＨＨの運動のために用いられる界Ｈ1、Ｈ2、Ｈ3は、それらが関連付けられるセグメントの磁性の反転のみを定める必要があり、それらの末端には既に磁壁が存在し、他のセグメントの磁性の一切のさらなる摂動はない。
【００７９】
磁界の強度が満たさなければならない条件は、たとえば、注入構造３０２を規定するセグメントの幅を変えることによってなど、いくつかの態様で実現されてもよい。
【００８０】
本発明の特定的な実施形態に従うと、用いられる磁界は数百Ｏｅのオーダの強度を有する。
【００８１】
図７ｇに示される状態は、磁性導管３００中の第２の壁ＴＴを注入するのに必要な外部磁界に対して安定した状態である。壁ＴＴの注入および移動を図８に概略的に示す。
【００８２】
ｘ軸の負の方向に沿って向けられた外部磁界Ｈi2を印加すると、磁性導管３００の第１のセグメント３０３Ａ１の磁性が反転し、第１のセグメント３０３Ａ１と第２のセグメント３０３Ａ２との間にＴＴ壁が創出される（図８ａ）。磁界Ｈi2は、その間に壁ＨＨが置かれるセグメント３０３Ｂ２と３０３Ａ５との磁性の反転に有効な成分を有していない。この理由のため、壁ＨＨは、壁ＴＴが注入されても移動しない。
【００８３】
壁ＴＴの移動は、壁ＨＨの移動について上述されたのと同様の態様で行なわれる。特に、その間に磁壁が置かれるセグメントのうちの１つの磁性を反転させることができる外部磁界が印加される。
【００８４】
セグメント３０３Ａ２に平行な外部磁界Ｈ4を印加すると、当該セグメントの磁性が反転し、壁ＴＴが移動して、セグメント３０３Ａ２と第１の水平方向セグメント３０３Ｂ１との間に置かれる（図８ｂ）。界Ｈ4は、壁ＴＴの位置に影響を及ぼすことなく、セグメント３０３Ａ１の磁性の反転を発生させるのみであるようなものでなければならない。
【００８５】
セグメント３０３Ａ５に平行な外部磁界Ｈ3を印加すると、当該セグメントの磁性が反転し、壁ＨＨが移動する（図８ｃ）。界Ｈ3は、磁壁ＴＴがその間に置かれるセグメントの磁性の変化を引き起さず、したがってこの壁は移動しない。
【００８６】
セグメント３０３Ｂ１に平行な外部磁界Ｈ5を印加すると、当該セグメントの磁性が反転し、壁ＴＴが移動してセグメント３０３Ｂ１とセグメント３０３Ａ３との間に置かれる（図８ｄ）。しかしながら、この場合、壁ＨＨが移動しないようにするため、Ｈ5を適正に選択しなければならない。
【００８７】
セグメント３０３Ａ６に平行な外部磁界Ｈ1を印加すると、磁壁ＨＨが移動する（図８ｅ）。
【００８８】
適正な外部磁界を同様の態様で印加することを続けると、図８ｊに示される構成が得られる。この構成は、図８ｋに示されるような新たな磁壁ＨＨの注入に対して安定している。
【００８９】
壁の移動の説明で注記したように、印加すべき界の選択においていくつかの極めて重要な点が存在し、当該極めて重要な点は以下の条件を暗示する。
【００９０】
ａ）  それぞれセグメント３０３Ａ２ｎ、３０３Ｂｎ、３０３Ａ２ｎ−１に沿った壁ＨＨの移動に用いられる界Ｈ1、Ｈ2、Ｈ3は、それらが関連付けられるセグメントの磁性の反転のみを定めなければならず、その端には磁壁が既に存在し、他のセグメントの磁性の一切のさらなる摂動はない。特に、それらはさらなる壁の注入を定める必要はない。
【００９１】
ｂ）  それぞれセグメント３０３Ａ２ｎ、３０３Ｂｎ、３０３Ａ２ｎ−１に沿った壁ＴＴの移動に用いられる界Ｈ4、Ｈ5、Ｈ6は、それらが関連付けられるセグメントの磁性の反転のみを定めなければならず、その端には磁壁が既に存在し、他のセグメントの磁性の一切のさらなる摂動はない。特に、それらはさらなる壁の注入を生じる必要はない。
【００９２】
ｃ）  注入界は、それらが印加されるモーメントのミクロ磁気構成特性における注入器以外の構造の部分の磁化状態を変える必要はない。
【００９３】
たとえば、印加すべき界の方向および強度の観点で、それに従ってこれらの条件が実現される態様は用いられる外形および材料に大きく依存し、これにより図８に示される方式はいくつかの実際的な実現例に従って利用可能な原則を表すものと理解しなければならない。特に、構造のセグメントに界が平行である必要はない。
【００９４】
図９は、本発明の特定的な実施形態に従う、特に磁壁ＨＨおよびＴＴの創出および伝播のシミュレーションに用いられる図８に示される方式に従う磁性導管４００を概略的に示す。磁性導管４００には、幅が０．２μｍおよび長さが２μｍの注入構造４０２が設けられる。セグメント３０３Ａ１、３０３Ａ２、３０３Ａ３、および３０３Ａ４は、長さが２μｍおよび幅が０．２μｍである。隣接するセグメント同士の間の角度２αは６０°に等しく、そのため形成される三角形は等辺三角形である。水平方向セグメント３０３Ｂ１は長さが２μｍかつ幅が０．１μｍである。９０°の角度を有する角４０５は当該位置で壁を安定させるように傾いたセグメントの端に対応して存在する。磁壁の消滅のための端４０４は先が尖っており、その最大幅は０．１μｍである。磁性導管４００は、ＳｉＯ2／Ｓｉ基板上に堆積される厚みが３０ｎｍのパーマロイ（登録商標）によって形成されてもよい。
【００９５】
図９に示され、適正なミクロ磁気シミュレーションによって得られるものなどのような構造中の磁性粒子の創出および移動に必要な界が図１０に示される。示されるベクトルの大きさ（界の強度）はＯｅで表現される。界の命名は、これらのプロセスを詳細に説明する図７および図８について用いられたものと同じである。しかしながら、特に、図７および図８に示されたものとは異なり、図９および図１０に記載の本発明の実施形態に従って用いられる界は磁性導管４００のセグメントに平行ではない。これは、導管のセグメントに対して傾いた磁界がセグメントの端での磁壁の拘束を容易にするとともに、注入界を低減することが観察されたことによるものである。特に、図１０ａでは、注入磁界Ｈi1およびＨi2が注入構造４０２に対して１５°だけ傾斜していることを観察することができる。壁ＨＨの移動のための磁界は、セグメント４０３Ａ２および４０３Ａ１に対して１０°だけかつ水平方向セグメント４０３Ｂ１に対して１５°だけ傾斜している（図１０ｂ）。同様に、壁ＴＴの移動のための磁界は、セグメント４０３Ａ２および４０３Ａ１に対して１０°だけかつ水平方向セグメント４０３Ｂ１に対して１５°だけ傾斜している（図１０ｃ）。
【００９６】
界が印加される角度の選択および当該界の大きさにより、上述の条件ａ、ｂおよびｃを満たすことが可能になり、壁ＨＨおよびＴＴの注入を当該壁の伝播から切り離すことが保証される。
【００９７】
図１、図４、図６、および図９に示される磁性導管など、セグメントおよび角を備える磁性導管の使用により、磁壁の創出および移動の精密な制御が可能になる。特に、磁壁が非常に安定している角の存在のおかげで、当該磁壁の場所を精密に知ることができる。同様に、磁性粒子が当該磁壁に結合している場合、当該粒子の場所を精密に知ることができる。一般的に、それにより磁性粒子の局所化がわかる最大の理論的精密度は磁壁の広がりに対応する。応じて、本発明に従って適切に構造化された導管における磁性粒子の局所化をこれによって知る最大精密度は、１０ナノメータのオーダである。この精密度は、溶液中の粒子のブラウン運動および磁気構造中の不規則性の存在などの外部摂動理由のために、数百ナノメータまで大きく低下し得る。
【００９８】
セグメントおよび角に基づく磁壁の運動はデジタル運動である。特に、磁壁の移動の始点および終点は精密にわかり、それに沿って磁壁が移動するセグメントの端に対応している一方で、端と次の端との間の移動の間の当該壁の性質および運動を制御することは容易ではない。直線のセグメント上では、壁自体に追従して粒子が連続性を持って移動可能なように壁の速度を低減することは難しい。さらに、運動の間に磁壁が典型的な横断構造の代わりに渦構造をとる場合、磁性粒子が解放される可能性がある。この不都合を回避するため、本発明の特定的な有利な実施形態に従うと、カーブしたセグメントによって形成される磁性導管を用いる。カーブしたセグメントに沿った磁壁の運動は、速度が外部磁界の回転速度と等しい連続した運動であり、したがって制御可能である。
【００９９】
図１１は、円形のリングの形状を有する磁性導管５００に基づく本発明の特定的な実施形態を表示する。磁性導管５００の円形構造により、磁壁の性質およびプロセスの各々の瞬間のそれらの移動の精密な制御が可能になる。
【０１００】
外部飽和磁界Ｈiを印加すると、図１１ａに示されるように磁壁ＨＨおよび磁壁ＴＴが創出される。回転径方向磁界Ｈrを印加すると、非常に高精密にリング５００の周に沿って磁壁を移動させることができる（図１１ｂ）。磁界Ｈrの回転速度を制御すると、磁壁の移動を制御することができる。特に、磁壁の回転速度は磁界Ｈrの回転速度と一致する。界Ｈrの強度は、リング５００の構造、特にリング自体の材料中の不均質性および円形構造中のあり得る不規則性の存在によって決まる。磁界Ｈrは径方向であるため、磁壁は移動の全体にわたってそれらの横断構造を維持する。
【０１０１】
一例として、５μｍに等しい半直線（ray）および０．２μｍの導管幅を有するパーマロイ（登録商標）リング上の粒子の移動の効率についてのいくつかの実験データを報告する。特に、表１では、磁性粒子の回転の最大周波数が、印加される回転界Ｈrの強度の関数として報告される。周波数がより高いほど、粒子が壁から離れるであろう。
【０１０２】
【表１】
0005272082.tif 000003
【０１０３】
このデータは、ｐＨ８のＮＨ4−ＯＨの水溶液中の直径５００ｎｍのｎａｎｏｍａｇ（登録商標）−Ｄ粒子の運動および厚み５０ｎｍのＳｉＯ2の被覆を有するパーマロイ（登録商標）構造に関する。
【０１０４】
半径が１０μｍでかつ界Ｈr＝３００Ｏｅである同様の構造上で回転の最大周波数が０．５Ｈｚに低減されると、磁性粒子の損失がしばしば観察される。このことは、粒子および壁の回転に必要な界が曲率半径とともにどのように増大するかを示す。
【０１０５】
界Ｈrの回転速度が低いと、磁性粒子の制御された移動により、その非常に精密な位置決めが可能になり、観察される分解能は１００ナノメータのオーダである。
【０１０６】
図１２は、カーブした形状を有する磁性導管６００を有する、本発明の特定的な実施形態を表示する。磁性導管６００は、磁壁の注入のための注入構造６０２と、カーブした部分６０３と、磁壁の消滅のための端６０４とを備える。カーブした部分６０３は、楕円の一部に対応する。本発明の代替的な実施形態に従うと、カーブした部分６０３は、放物線、双曲線、または円周の一部に対応してもよい。端６０４は先が尖っている。磁性導管６００はまず、図１２ａに示されるように、図のような外部磁界Ｈ0によって均一に磁化される。その後、磁界Ｈ0が除去され、Ｈiが鉛直方向に対して傾斜するように本質的にｙ軸の正の方向に沿って向けられているが、ｘ軸に沿った負の成分がわずかである外部磁界Ｈiが印加される。界Ｈiにより、磁性導管６００のカーブした部分６０３中の磁壁ＨＨの注入が可能になる（図１２ｂ）。回転径方向磁界Ｈを印加すると、カーブした部分６０３全体に沿って高精度で磁壁ＨＨを移動させることができる（図１２ｃ、図１２ｄ、図１２ｅ）。図１２に示されるミクロ磁気構成は、２００ｎｍに等しい導管幅および３０ｎｍの厚みを有するパーマロイ（登録商標）構造に対する適正なシミュレーションのための結果を総合的に要約する。１０００Ｏｅの界Ｈ0は、初期化のため、水平方向に対して１０°だけ傾斜して印加された一方で、界ＨiおよびＨはそれぞれ２００Ｏｅおよび３００Ｏｅに対応し、Ｈiは鉛直方向に対して１０°だけ傾斜している。磁壁ＨＨの回転角速度は磁界Ｈの回転角速度と等しい。連続したかつ制御された移動に必要な界Ｈの強度は、（それとともに増大する）曲率半径およびカーブした部分６０３の構造、特にカーブした部分６０３中のあり得る不規則性の存在およびカーブした部分自体の材料中の不均質性によって決まる。磁壁ＨＨが端６０４に達すると、これは消滅する（図１２ｆ）。磁性導管６００の場合、カーブした部分６０３の直径に等しい距離に沿って磁性粒子を移動させることができる。一般的に、当該距離は数十マイクロメータのオーダであり得る。
【０１０７】
パーマロイ（登録商標）からなり、幅が０．２μｍのカーブした部分６０３を有する、厚みが３０ｎｍおよび直径が１０μｍの磁性導管６００を考えると、磁壁ＨＨは、パーマロイ（登録商標）構造から２００ｎｍの距離のところで１００Ｏｅよりも高い磁界を発生すると算出された。生成された界の高い傾斜は、直径が１３０ｎｍで、中心がカーブした部分６０３の表面から２００ｎｍのところにある超常時性粒子ｎｏｎｏｍａｇ（登録商標）−Ｄに対する、１０ｐＮに等しい吸引力を暗示する。この値は、方形のリングの角の場合に得られる値に匹敵する。したがって、導管６００について算出される力は、磁性粒子と磁壁との間の安定した連結を実現するのに十分である。磁性導管６００上方に配置されるＳｉＯ2保護層は、粒子の移動の間の相互作用力を最大限にするためには、できるだけ厚みが小さい（ここに示される実験データについては５０ｎｍ）のが好ましいことが明らかである。
【０１０８】
本発明の特定的な有利な実施形態に従うと、異なる曲率半径、異なる厚み、および異なる幅などの異なる磁気特性を有する、接続されたカーブした部分の配列を備える磁性導管が実現される。
【０１０９】
本発明に従って適切に構造化された磁性導管により、非常に精密な態様で、ナノメータ分解能で磁性粒子の位置および移動を制御することができることが示された。
【０１１０】
本発明の特定的な実施形態に従うと、二股部を備える磁性導管を実現することができる。図１３に示される磁性導管７００は二股部７０１を備え、これにより磁性導管７００は分岐７００ａおよび７００ｂに分割される。図１３に、二股部７０１に置かれる磁壁ＨＨが示される。分岐７００ａの第１のセグメント７０３ａの磁性を反転させることができる外部磁界Ｈaが印加されると、壁ＨＨは分岐７００Ａに入り、この分岐に沿って伝播可能である。これに対し、分岐７００ｂの第１のセグメント７０３ｂの磁性を反転させることができる外部磁界Ｈbが印加されると、壁ＨＨは分岐７００ｂに入り、この分岐に沿って伝播可能である。
【０１１１】
図１から図１３に示される機器は、適切に構造化された磁性導管を備える、本発明の特定的な実施形態を表示する。特に、図１から図１３に示される磁性導管は、非磁性基板（たとえば、ＳｉＯ2、Ｓｉ）上に堆積される、室温で強磁性の材料（たとえば、パーマロイ（登録商標））からなる２次元システムである。示される磁性導管は、（ＳｉＯ2などの）非磁性材料の保護層でさらに覆われてもよい。それにもかかわらず、本発明のさらなる実施形態に従うと、３次元磁性導管が設けられる。このように、３Ｄネットワークが創出され、これに沿って非常に高精密にかつ完璧な制御をもって、いくつかの磁性粒子を移動させることができる。したがって、磁壁の移動によって磁性粒子を選択的に移動可能ないくつかの環境の層化（stratification）を実現することができる。これにより、異なる化学反応が起こり得る環境の層化が実現される、理想的なラボオンチップ条件の実現が可能になる。
【０１１２】
本発明のさらなる実施形態は、磁壁および磁壁に結合される磁性粒子の存在を検出することができる磁気センサを有する、本発明の磁性導管を提供することにある。当該センサの例は、イタリア特許出願ＴＯ２００８Ａ００３１４に見出すことができ、その教示はその全体が引用によりここに援用されている。ＴＯ２００８Ａ００３１４に記載のセンサは、異方性磁気抵抗現象に基づく磁性導管中の磁壁の存在の検出に基づいている。基本的に、磁性導管の電気抵抗は導管中の磁壁の存在または不在に応じて変化する。したがって、オーミック測定によって磁性導管中の磁壁の存在を判断することができる。さらに、磁区に近接した磁性粒子の存在の検出は、磁性導管に沿って磁壁を移動させるのに必要な磁界が、磁壁が磁性粒子に結合していることまたは結合していないことに応じて変化することに基づいている。したがって、ＴＯ２００８Ａ００３１４に記載のセンサは、磁性導管中の磁壁の検出および当該磁壁が磁性粒子に結合されているか否かの判断を可能にする。したがって、これらの種類のセンサは、本明細書中に記載の構造と完全に一体化可能である。ＴＯ２００８Ａ００３１４に記載のようなオーミック測定を行なうため、当該磁性導管に、たとえば金の電気コンタクトなどの電気コンタクトを設けることができる。磁性導管と同様に、電気コンタクトも石版印刷技術によって実現されてもよい。本発明の磁性導管中のセンサの存在により、磁性導管を通る磁性粒子の数を高精密に制御することができるカウンタの実現が可能になる。
【０１１３】
本発明の実施形態に従う磁性導管中の磁壁の創出、移動、および消滅が外部磁界の印加に関連して説明された。外部磁界は連続的であってもまたは交互であってもよい。本発明の代替的な実施形態に従うと、外部電磁界の印加によって磁性導管中で磁壁の創出、移動、および消滅を行なうことができる。本発明のさらなる実施形態に従うと、磁壁の創出、移動、および消滅は、磁性導管を通過することを許される電流によって行なわれる。これは、たとえば、水マンガン鉱、ホイスラー合金、および磁鉄鉱などの、フェルミ準位で高いスピン偏極を特徴とする磁性材料で磁性導管が実現される場合に特に実現可能である。電流を磁性導管に通すため、当該磁性導管に、たとえば、金の電気コンタクトなどの電気コンタクトを設けることができる。磁性導管と同様に、電気コンタクトも石版印刷技術によって実現されてもよい。
【０１１４】
磁性粒子の溶液の存在下で適切に構造化されて置かれた磁性導管中の磁壁の創出、移動、および消滅によって、単一の磁性粒子の移動を非常に高精密にかつ正確に制御することができることが示された。当該磁性導管の構造（形状および寸法）の正確な設計により、磁壁の創出による予め定められた位置での単一の磁性粒子の捕捉が可能である。磁壁の消滅により、予め定められた位置での単一の磁性粒子の解放がさらに可能である。磁壁がこれに沿って精密に移動可能な磁性導管に沿って制御されたかつ精密な態様で単一の磁性粒子を移動させることも可能である。
【０１１５】
これにより、粒子の制御されたかつ精密な操作が要件とされるいくつかの分野で、本発明の方法およびシステムを用いることが可能になる。特に、本発明を、磁性粒子の捕捉、移動、蓄積、および移送が必要な各分野で用いてもよい。粒子の制御された操作が重要な役割を果たす分野の例は、たとえば、超常磁性粒子がマーカーまたは生体分子の移送のための支持体として用いられる生物医学的適用例に係る。これらの分野の適用例のいくつかの例は、たとえば、バイオセンサによる生体分子の同定の場合、またはＤＮＡの抽出および精製に係る。本発明によると、「ラボオンチップ」方策はいくつかの適用例の分野において改良される。本発明に従う機器のコンパクトなアレイの実現により、たとえば、生体サンプルを調製すべき場合に、必要に応じて磁性粒子の高い量の捕捉、搬送、および解放が可能になる。さらに、本発明は、たとえば、高度に制御された化学的または生物学的合成の分野で用いることができる、カーブした導管を用いる、非常に正確かつ精密な「磁気ピンセット」の種類の実現を可能にする（ナノメータ分解能を得ることが可能である）。
【０１１６】
本発明のいくつかの局面により、磁性粒子の極めて精密かつ制御されたデジタル運動と、必要な適用例の種類に応じた磁性粒子の極めて精密かつ制御された連続運動との両者を行なうことができることが示された。
【０１１７】
本発明は、分子が磁性であるか否かとは独立して、磁性粒子を生物学的または非生物学的な任意の種類の分子に結合するために、たとえば、接着性物質または表面反応基によって官能化される磁性粒子を用いる場合に特に有利である。特定の分子に結合された磁性粒子の制御された運動により、粒子がそれを通って移動する異なる環境で局所化される溶液中の他の分子、または次に磁性粒子によって移動される他の分子を、制御された態様で当該分子と相互作用させることが可能になる。
【０１１８】
具体的な適用例として、異なるベースを含有する環境を通して順次移動される磁性球に付着するＤＮＡ配列の合成を考えることができる。適正な二股部を有するように適切に設計された導管中でのこの球のプログラムされた移動は、当該機能性の実現を可能にするであろう。
【０１１９】
本発明に従うシステムおよび方法の適用例は、リアルタイムポリメラーゼ連鎖反応（リアルタイムＰＣＲ）などのその後の分析のための生体サンプルの調製の分野に係る。この場合、増幅されるべきＤＮＡサンプルの調製は、ＤＮＡ分子を分離し、サンプルを精製するための磁性粒子の使用を暗示する。この機能は一般的に、サンプルが適正な反応物と接触させられるさまざまな相中のＤＮＡに結合される磁性粒子を引き寄せるもしくは解放するようにテストチューブに近づけられるかもしくはさらに遠ざけられるテストチューブおよび永久磁石を用いる、オペレータまたはロボットの手動介入によって、一般的に得られる。本発明に従って示される構造による磁性粒子の捕捉、解放、および移動の機能性により、ラボオンチップ機器におけるサンプル調製の一体化が可能になる。これにより、完全にラボオンチップの分析の見込みに有利な、サンプルの調製の外部相の排除が可能になるであろう。
【図１ａ】
0005272082.tif 000004
【図１ｂ】
0005272082.tif 000005
【図１ｃ】
0005272082.tif 000006
【図２】
0005272082.tif 000007
【図３ａ】
0005272082.tif 000008
【図３ｂ】
0005272082.tif 000009
【図３ｃ】
0005272082.tif 000010
【図３ｄ】
0005272082.tif 000011
【図４ａ】
0005272082.tif 000012
【図４ｂ−４ｄ】
0005272082.tif 000013
【図５ａ】
0005272082.tif 000014
【図５ｂ】
0005272082.tif 000015
【図６】
0005272082.tif 000016
【図７】
0005272082.tif 000017
【図８】
0005272082.tif 000018
【図９】
0005272082.tif 000019
【図１０ａ−１０ｃ】
0005272082.tif 000020
【図１１ａ】
0005272082.tif 000021
【図１１ｂ】
0005272082.tif 000022
【図１２ａ−１２ｆ】
0005272082.tif 000023
【図１３】
0005272082.tif 000024